(57)【要約】  照明装置及びその制御方法である。照明装置は、ベース１０と、光源２０と、コントローラー４０と、タッチ素子３０とを備える。光源２０はベース１０に取り付けられている。光源２０はコントローラー４０及びタッチ素子３０に電気的に接続されている。コントローラー４０は、タッチ素子３０によって感知されたタッチ位置に基づいて、対応するタッチ位置で発光するように光源を制御する。タッチ動作により、局部で発光するように光源２０を正確に制御することにより、より柔軟な使用経験を得ることができる。【選択図】  図６
2019510359.tif 000002
【特許請求の範囲】
【請求項１】
ベースと、
該ベースに取り付けられる光源と、
該光源に電気的に接続されるコントローラーと、
タッチ素子とを備え、
前記コントローラーが、前記タッチ素子により感知されたタッチ位置に基づいて、対応するタッチ位置で発光するように前記光源を制御する照明装置。
【請求項２】
前記光源の形状が前記タッチ素子の形状に対応する請求項１に記載の照明装置。
【請求項３】
前記光源及び前記タッチ素子がいずれも環状である請求項２に記載の照明装置。
【請求項４】
前記光源の発光面が前記タッチ素子のタッチ面に対して傾斜している請求項１に記載の照明装置。
【請求項５】
前記ベースが、側壁と、該側壁に接続される支持壁とを有し、
前記光源が前記側壁を取り囲み、
前記タッチ素子が前記支持壁に位置されている請求項１から請求項４のいずれかに記載の照明装置。
【請求項６】
前記支持壁が前記側壁を取り囲んで前記側壁に固定されている請求項５に記載の照明装置。
【請求項７】
前記光源により発射された光線は、反射された後、前記支持壁及び前記タッチ素子を透過して出射される請求項５に記載の照明装置。
【請求項８】
前記側壁が中空構造であり、
前記コントローラーが前記側壁内に収容される請求項５に記載の照明装置。
【請求項９】
前記支持壁が円弧状の支持面を有し、
前記タッチ素子が円弧状の前記支持面に貼設されているフレキシブルタッチパネルを有する請求項５に記載の照明装置。
【請求項１０】
前記コントローラーは、前記タッチ素子により感知された異なるタッチ方向に基づいて、前記光源が点灯または消灯されるように制御する請求項１から請求項４のいずれかに記載の照明装置。
【請求項１１】
照明装置の制御方法であって、
前記照明装置のタッチ素子によりタッチ位置を感知するステップと、
対応するタッチ位置で発光するように前記照明装置の光源を制御するステップとを含む照明装置の制御方法。
【請求項１２】
前記照明装置の前記タッチ素子によりタッチ位置を感知するステップが、前記照明装置の前記タッチ素子によりタッチ軌跡を感知するステップを含み、
対応するタッチ位置で発光するように前記照明装置の前記光源を制御するステップが、タッチ軌跡に対応して発光軌跡を形成するように前記照明装置の前記光源を制御するステップを含む請求項１１に記載の方法。
【請求項１３】
前記照明装置の前記タッチ素子により逆方向のタッチ軌跡を感知するステップと、
対応する逆方向のタッチ軌跡に対応して消灯軌跡を形成するように前記照明装置の前記光源を制御するステップとを含む請求項１２に記載の方法。
【請求項１４】
前記照明装置の前記タッチ素子によりタッチジェスチャーを感知するステップと、
前記照明装置の前記光源の輝度を変化させるように制御するステップとを含む請求項１１に記載の方法。
【請求項１５】
前記タッチジェスチャーが前記タッチ素子におけるダブルタップジェスチャーを含む請求項１４に記載の方法。
【請求項１６】
現在の時間に基づいて、第１の位置で時針をシミュレーションする第１の光線を発射するように前記光源を制御し、第２の位置で分針をシミュレーションする第２の光線を発射するように前記光源を制御するステップを含み、
前記第１の光線が前記第２の光線と異なる請求項１１に記載の方法。
【請求項１７】
前記第１の光線の強度が前記第２の光線の強度と異なる請求項１６に記載の方法。
【請求項１８】
前記照明装置が、側壁と、該側壁に接続される支持壁とを有し、
前記光源が前記側壁を取り囲み、
前記タッチ素子が前記支持壁に貼設されている請求項１１から請求項１７のいずれかに記載の方法。
【請求項１９】
前記光源により発射された光線は、反射された後、前記支持壁及び前記タッチ素子を透過して出射される請求項１８に記載の方法。
【請求項２０】
前記側壁が中空の環状構造であり、
前記照明装置が前記側壁内に収容されるコントローラーを備える請求項１８に記載の方法。
【発明の詳細な説明】
【技術分野】
【０００１】
本発明は、照明装置及びその制御方法に関し、特に、照明器具及びその制御方法に関するものである。
【背景技術】
【０００２】
既存の照明器具は、一般的には、スイッチで全体的な明暗に関する制御が行われる。即ち、スイッチが動作された後、照明器具が全体的に点灯されるか、または全体的に消灯され、照明器具の部分的な光線を個別に制御することができない。従って、円滑に使用することができず、アプリケーション場所が制限される。
【発明の概要】
【発明が解決しようとする課題】
【０００３】
本発明は、円滑に使用される照明装置及びその制御方法を提供する。
【課題を解決するための手段】
【０００４】
照明装置は、ベースと、該ベースに取り付けられる光源と、該光源に電気的に接続されるコントローラーと、タッチ素子とを備え、前記コントローラーが、前記タッチ素子により感知されたタッチ位置に基づいて、対応するタッチ位置で発光するように前記光源を制御する。
【０００５】
前記光源の形状が前記タッチ素子の形状に対応してもよい。
【０００６】
前記光源及び前記タッチ素子がいずれも環状であってもよい。
【０００７】
前記光源の発光面が前記タッチ素子のタッチ面に対して傾斜していてもよい。
【０００８】
前記ベースが、側壁と、該側壁に接続される支持壁とを有し、前記光源が前記側壁を取り囲み、前記タッチ素子が前記支持壁に位置されていてもよい。
【０００９】
前記支持壁が前記側壁を取り囲んで前記側壁に固定されていてもよい。
【００１０】
前記光源により発射された光線は、反射された後、前記支持壁及び前記タッチ素子を透過して出射されてもよい。
【００１１】
前記側壁が中空構造であり、前記コントローラーが前記側壁内に収容されてもよい。
【００１２】
前記支持壁が円弧状の支持面を有し、前記タッチ素子が円弧状の前記支持面に貼設されているフレキシブルタッチパネルを有していてもよい。
【００１３】
前記コントローラーは、前記タッチ素子により感知された異なるタッチ方向に基づいて、前記光源が点灯または消灯されるように制御してもよい。
【００１４】
照明装置の制御方法であって、前記照明装置のタッチ素子によりタッチ位置を感知するステップと、対応するタッチ位置で発光するように前記照明装置の光源を制御するステップとを含む。
【００１５】
前記照明装置の前記タッチ素子によりタッチ位置を感知するステップが、前記照明装置の前記タッチ素子によりタッチ軌跡を感知するステップを含み、対応するタッチ位置で発光するように前記照明装置の前記光源を制御するステップは、タッチ軌跡に対応して発光軌跡を形成するように前記照明装置の前記光源を制御するステップを含んでいてもよい。
【００１６】
前記照明装置の前記タッチ素子により逆方向のタッチ軌跡を感知するステップと、対応する逆方向のタッチ軌跡に対応して消灯軌跡を形成するように前記照明装置の前記光源を制御するステップとを含んでいてもよい。
【００１７】
前記照明装置の前記タッチ素子によりタッチジェスチャーを感知するステップと、前記照明装置の前記光源の輝度を変化させるように制御するステップとを含んでいていてもよい。
【００１８】
前記タッチジェスチャーが前記タッチ素子におけるダブルタップジェスチャーを含んでいてもよい。
【００１９】
現在の時間に基づいて、第１の位置で時針をシミュレーションする第１の光線を発射するように前記光源を制御し、第２の位置で分針をシミュレーションする第２の光線を発射するように前記光源を制御するステップを含み、前記第１の光線が前記第２の光線と異なっていてもよい。
【００２０】
前記第１の光線の強度が前記第２の光線の強度と異なっていてもよい。
【００２１】
前記照明装置が、側壁と、該側壁に接続される支持壁とを有し、前記光源が前記側壁を取り囲み、前記タッチ素子が前記支持壁に貼設されていてもよい。
【００２２】
前記光源により発射された光線は、反射された後、前記支持壁及び前記タッチ素子を透過して出射されてもよい。
【００２３】
前記側壁が中空の環状構造であり、前記照明装置が前記側壁内に収容されるコントローラーを備えていてもよい。
【発明の効果】
【００２４】
タッチ素子により感知されたタッチ位置により、対応するタッチ位置で発光するように光源を制御して、照明装置の局部が発光するように制御することができ、ユーザは、自分のニーズに合わせて照明装置の発光位置を調整し、円滑に使用することができる。
【図面の簡単な説明】
【００２５】
本発明の実施形態における技術案をより明確に説明するために、実施形態で使用される図面を以下に簡単に説明する。以下の説明における図面は、本発明のいくつかの実施形態にすぎないことはもちろんのことである。当業者であれば、創造的な作業しないことを前提として、これらの図面に基づいて他の明白な変形例を用いることも可能である。
【図１】本発明に係る照明装置の概略斜視図である。
【図２】光源が除去された図１の照明装置の反転図である。
【図３】図１の照明装置の断面図である。
【図４】図３の照明装置の部分ＩＩＩの拡大図である。
【図５】図１の照明装置の使用状態図である。
【図６】図５の他の視点の概略図である。
【図７】図１の照明装置の他の使用状態図である。
【発明を実施するための形態】
【００２６】
以下、本発明の実施形態における図面を組み合せて、本発明の実施形態における技術案を明確、かつ完全に説明する。
【００２７】
図１から図３に示されるように、本発明の実施形態による照明装置が示されている。
【００２８】
本実施形態において、照明装置は壁に取り付けられている壁付けライトである。
【００２９】
照明装置は、ベース１０と、ベース１０に取り付けられている光源２０と、タッチ素子３０と、コントローラー４０とを備える。
【００３０】
図４に示されるように、ベース１０は、側壁１２と、側壁１２に接続される支持壁１４とを有する。
側壁１２は、金属またはプラスチックで製造され、支持壁１４は、透明な素材で製造され、例えば、アクリル、ガラスなどである。
側壁１２は中空構造であり、その内部にはコントローラー４０及び電源が取り付けられている。
【００３１】
側壁１２は全体的に円環状であり、その内面は内環状面１２０である。外面は、内面1２０に平行した外環状面１２２と、傾斜された取り付け面１２４とを有する。
外環状面１２２の幅は内環状面１２０の幅より小さい。
取り付け面１２４は、外環状面１２２に対して傾斜され、且つその半径は支持壁１４から離れる方向に沿って徐々に減少する。
【００３２】
側壁１２は、内面と外面との間に位置する接合面１２６を更に有する。
接合面１２６は、壁等のような支持体５０に貼り付けることに用いられ(図５参照)、これにより照明装置を固定する。
接合面１２６は、取り付け面１２４及び内環状面1２０を接続する。接合面１２６は、内環状面１２０に垂直、かつ取り付け面１２４に対して傾斜している。
内環状面１２０が円環状であるので、ベース１０が中空の構造に形成される。
ベースが支持体５０に固定された後、支持体５０は、内環状面１２０によって囲まれた空間内に露出される。従って、照明装置によって占有される支持体５０の面積が小さくなり、空間を効果的に節約することができる。
【００３３】
図５に示されるように、光源２０はベース１０の取り付け面１２に取り付けられている。
本実施形態において、光源２０は取り付け面１２４を取り囲む円環状のライトストリップであり、それは独立に制御される複数のＬＥＤで構成される。全てのＬＥＤはコントローラー４０に電気的に接続されており、コントローラー４０に制御されることによって各光源が点灯または消灯させられる。
【００３４】
取り付け面１２４が傾斜しているので、ＬＥＤの発光面も外環状面１２２に対して支持体５０に向かって傾斜し、外部に発光する。ＬＥＤによって発射された光線が支持体５０に傾けて照射され、照明範囲を拡大する。そのうち、一方の部分の光線が支持体５０に直接照射され、他方の部分の光線は支持体５０に反射された後、支持壁１４及びタッチ素子３０を介して出射される。
【００３５】
支持壁１４は円環状であり、側壁１２に垂直である。
支持壁１４は、側壁１２の外環状面１２２を取り囲むと共に固定されている。
支持壁１４は、支持面１４０と、支持面１４０に接続されている背面１４２とを有する。
支持面１４０及び背面１４２はいずれも円環状である。
支持面１４０は内側から外側へ背面１４２に向かって徐々に湾曲して弧面を形成し、背面１４２は内側から外側へ支持面１４０に向かって徐々に湾曲して弧面を形成する。
【００３６】
タッチ素子３０はベース１０の支持壁１４に取り付けられている。
本実施形態において、タッチ素子３０はフレキシブルタッチパネルであり、それは円弧状の支持面１４０に密接に嵌合される。
【００３７】
タッチ素子３０の厚さは支持壁１４の厚さより小さい。
タッチ素子３０も円環状であり、その一方の部分は支持面１４０に接合され、他方の部分は側壁１２の環状面に接合される。もちろん、タッチ素子３０が支持面１４０または側壁１２のリング面のみに位置してもよい。
タッチ素子３０のタッチ面は光源２０の発光面に対して傾斜している。
【００３８】
タッチ素子３０の形状は光源２０の形状に対応する。
本実施形態において、タッチ素子３０の形状は光源２０の形状と同じ、または類似な円環状である。もちろん、他の可能な方案において、タッチ素子３０の形状が光源２０の形状と異なってもよい。例えば、タッチ素子３０は四角形の円環状であり、光源２０は円環状である。または、タッチ素子３０は円環状であり、光源２０は三角形の円環状である。または、タッチ素子３０は円形であり、光源２０は長方形である。または、タッチ素子３０は三日月形状であり、光源２０はＵ字型等であり、二つの形状に対応関係があればよい。
【００３９】
さらに、上記「形状に対して対応関係がある」とは、二つの形状の輪郭が閉鎖した程度が同一または類似することであり、例えば、三角形と円形は完全に閉鎖した輪郭であり、三日月形状とＵ字型はいずれも非閉鎖した輪郭であり、且つ両者の閉鎖程度が類似する。また、本発明は、形状が非対応の関係であるタッチ素子３０及び光源２０の場合も含み、タッチ位置と点灯位置との間に対応関係があればよい。
【００４０】
タッチ素子３０はユーザのタッチ位置を感知でき、タッチ信号をコントローラー４０に出力し、コントローラー４０はさらに制御信号に基づいて、対応するタッチ位置で発光するように光源２０を制御する。
本実施形態において、タッチ位置は発光位置と同一であり、即ち、ユーザによりタッチ素子３０のどこかがタッチされた場合、その位置のすぐ下に位置するＬＥＤが発光する。もちろん、タッチ位置は発光位置と異なってもよく、両者に対応関係があればよい。例えば、発光位置は、タッチ位置の近く、または発光位置から遠く離れた位置にある。本発明において、「タッチ位置と発光位置とは対応関系がある」とは、同一の発光位置は二つ以上のタッチ位置を有さず、即ち、異なる位置におけるタッチによりいずれも同一の発光位置を点灯されることはできない。
【００４１】
さらに、タッチ素子３０はユーザのタッチ軌跡も感知でき、タッチ信号をコントローラー４０に出力し、コントローラー４０はさらにタッチ信号に基づいて、タッチ軌跡に対応して発光軌跡を形成するように光源２０を制御する。
本実施形態において、タッチ軌跡は発光軌跡と同一であり、例えば、図６のように、ユーザがタッチ素子３０の上でＡからＢまでの円弧状のタッチ軌跡を描きた場合、タッチ軌跡のすぐ下に位置するＬＥＤが発光して円弧状の発光軌跡を形成する。もちろん、タッチ軌跡と発光軌跡とが一致しなくてもよく、両者に対応関係があればよい。例えば、発光位置は、タッチ位置の近く、または発光位置から遠く離れた位置にある。理解すべきは、発光軌跡の長さとタッチ軌跡の長さは、一定の比例関係を維持すべきであり、１００％、５０％、２００％、８０％等を含むが、これらに限定されない。
【００４２】
また、タッチ素子３０が反対逆方向のタッチ軌跡を感知した場合、コントローラー４０は対応するタッチ軌跡のＬＥＤが消灯するように制御して、消灯軌跡を形成する。つまり、コントローラー４０はタッチ素子３０により感知された異なるタッチ方向に基づいて、光源２０が点灯または消灯されるように制御する。
【００４３】
さらに、タッチ素子３０はユーザのタッチジェスチャーも感知でき、タッチ信号をコントローラー４０に出力し、コントローラー４０はさらにタッチ信号に基づいて、光源２０の輝度を制御する。例えば、タッチ素子３０の任意の位置をタッチした場合、光源２０は明るくまたは暗くなる。
【００４４】
さらに、コントローラー４０は選択的に光源２０を制御して対応する位置を点灯して、クロック効果を達成することができる。例えば、図７に示されるように、コントローラー４０は、現在の時間に基づいて、時針位置に対応する第１のＬＥＤが第１の光線６０を発射するように制御して、時針をシミュレーションし、分針位置に対応する第２のＬＥＤが第２の光線７０を発射するように制御して、分針をシミュレーションする。好ましくは、第１の光線の輝度は第２の光線の輝度よりも大きい。
【００４５】
時針と分針とが重なる場合、その位置のＬＥＤが点灯されることのみ制御する。さらに、時針と分針とが重なる場合、時針をシミュレーションすることと分針をシミュレーションすることとを同時に達成するために、二つの層のＬＥＤを設置することが考えられ、一つの層のＬＥＤは個別に時針をシミュレーションし、もう一つの層のＬＥＤは個別に分針をシミュレーションする。
【００４６】
また、時針と分針をより明確に区別するために、異なる色を使用して区別することもでき、即ち、第１のＬＥＤは第１の色で点灯し、第２のＬＥＤは第２の色で点灯し、第１の色と第２の色とが異なる。また、タッチ素子３０も円形であり、それでタッチ素子３０の上でスライドすることにより時間を調整する。具体的には、第１のＬＥＤが時針を点灯される指示をした場合、ユーザは点灯の位置対応をしてタッチ素子３０をタッチした後、時計回りまたは反時計回りにスライドし、その際、コントローラー４０タッチ信号に基づいて第１のＬＥＤを消灯し、スライドが終了した位置に対応するＬＥＤを点灯する。
【００４７】
本発明は、照明装置の制御方法を更に提供し、照明装置のタッチ素子３０のタッチ位置を感知するステップと、対応するタッチ位置で発光するように照明装置の光源２０を制御するステップとを含む。
【００４８】
タッチ素子３０をタッチすることにより、対応するＬＥＤが発光するように正確に制御することができ、局部の照明効果を達成する。従って、ユーザは、自分のニーズに応じて照明装置の照明方向を調整することにより、異なる場所のニーズに適応できる。そして、タッチの方式に基づいて照明方向を制御するので、動作がより便利である。また、タッチ位置と点灯位置が同じなので、ユーザは非常に直感的に照明方向を制御できるため、照明装置の使用をより柔軟にする。
【００４９】
当然のことながら、上記実施形態では、壁付けライトを一例に挙げて説明したが、本発明は、テーブルランプ、フロアランプ、シャンデリア、雰囲気灯、およびプロジェクションライト等の他の種類の照明装置にも適用可能である。例えば、照明装置がテーブルランプである場合、テーブルランプのＬＥＤはランプポストを取り囲んで環状に配列され、テーブルランプがカバーしたＬＥＤのシェードの上面に環状のタッチ素子が設置される。ユーザは、異なる位置をタッチすることにより、対応する位置のＬＥＤを点灯または消灯することができる。例えば、照明装置がシャンデリアと、分離された制御スイッチとを有する場合、シャンデリアは環状に配列されたＬＥＤを有することができ、制御スイッチは壁に配置され、且つ環状のタッチ素子を有し、ユーザは、異なる位置をタッチすることにより、対応する位置のＬＥＤを点灯または消灯することができる。
【００５０】
また、一例を挙げると、照明装置が自動車内の雰囲気ランプと、センターコンソールの制御パネルとを備える場合、雰囲気ランプは直線状に配列されたＬＥＤを有することができ、制御パネルは線形のタッチ素子を有し、ユーザは、異なる位置をタッチすることにより、対応するＬＥＤを点灯または消灯することができる。
【００５１】
また、理解できるのは、光源２０は支持壁１４の背面１４２に環状に取り付けられてもよく、タッチ素子３０は側壁１２の取り付け面１２４に環状に取り付けられ、上記と同様の効果を得ることができる。
【図１】
2019510359.tif 000003
【図２】
2019510359.tif 000004
【図３】
2019510359.tif 000005
【図４】
2019510359.tif 000006
【図５】
2019510359.tif 000007
【図６】
2019510359.tif 000008
【図７】
2019510359.tif 000009
【国際調査報告】
2019510359.tif 000010
2019510359.tif 000011
2019510359.tif 000012
2019510359.tif 000013